(57)【要約】【課題】  従前の広告媒体の情報に基づき、販売を促進する広告媒体を作成するために有用な情報を管理するデータベースシステムを提供する。【解決手段】  ディスプレイを有する利用者端末２４，２６，２８からの求めに応じて、複数の商品情報を複数割りつけて作成された媒体情報に掲載された商品の売上に関する売上実績情報を管理し、前記商品の実績集計情報を含む管理画面を前記ディスプレイに表示させるためのデータベースシステムである。データベースシステム１０は、前記利用者端末２４，２６，２８からの求めに応じて媒体情報を作成する際に、前記媒体情報に掲載される複数の商品及び売上予定に関する予定情報の入力を求め、広告媒体配布後に掲載商品の前記売上実績情報の入力を求める。その後、前記利用者端末からの求めに応じて、前記予定情報及び売上実績情報から実績集計情報を作成して管理画面を作成する。【選択図】図４
2005208835.tif 000002
【特許請求の範囲】
【請求項１】
ディスプレイを有する利用者端末からの求めに応じて、複数の商品についての商品情報を複数割りつけて作成された媒体情報に掲載された商品の売上に関する売上実績情報を管理し、前記商品の実績集計情報を含む管理画面を前記ディスプレイに表示させるためのデータベースシステムであって、
前記商品に関連する商品情報及び前記商品が複数掲載された媒体に関する媒体情報を記憶する商品情報データベースと、前記利用者端末からの要求をネットワークを介して受け前記商品情報データベースから前記管理画面を作成する管理手段とを有し、
前記管理手段は、前記利用者端末からの求めに応じて媒体情報を作成する際に、前記媒体情報に掲載される複数の商品及び売上予定に関する予定情報の入力を求めて、前記商品情報データベースに管理し、
前記媒体情報に関する広告媒体に掲載された商品に関する前記売上実績情報の入力を求めて、前記商品情報データベースに管理し、
前記利用者端末からの求めに応じて、前記予定情報及び売上実績情報から実績集計情報を作成して管理画面を作成することを特徴とする、広告媒体管理用データベースシステム。
【請求項２】
前記媒体情報は、前記広告媒体に掲載される商品とその割付位置を対応付けて記憶し、前記管理手段は、ある特定の広告媒体のページに掲載されている商品を検索して実績集計情報を作成することを特徴とする、請求項１に記載の広告媒体管理用データベースシステム。
【請求項３】
前記管理手段は、広告媒体を表示する媒体表示エリアと、前記媒体表示エリアに表示されている媒体に掲載されている商品についての商品情報、売上実績情報、実績集計情報を掲載する商品エリアとを備える管理画面を作成することを特徴とする請求項２に記載の広告媒体管理用データベースシステム。
【請求項４】
前記商品情報は、当該商品を取り扱う部門区分に関する情報を有し、前記管理手段は、特定の部門に属する全て商品についての売上実績情報及び実績集計情報を掲載する部門別実績表示エリアを備える管理画面を作成することを特徴とする、請求項１から３のいずれか１つに記載の広告媒体管理用データベースシステム。
【請求項５】
前記商品情報は、当該商品を取り扱う部門区分に関する情報を有し、前記管理手段は、特定の部門に属する個々の商品についての売上実績情報及び実績集計情報を掲載する商品別実績表示エリアを備える管理画面を作成することを特徴とする、請求項１から４のいずれか１つに記載の広告媒体管理用データベースシステム。
【請求項６】
前記売上実績情報は、販売日時に関する時間情報を有し、前記管理手段は、特定の商品についての経時的推移を有する売上実績情報及び実績集計情報を掲載する時間帯別実績表示エリアを備える管理画面を作成することを特徴とする、請求項１から５のいずれか１つに記載の広告媒体管理用データベースシステム。
【請求項７】
前記売上実績情報は、供給数、供給金額、粗利額の情報を有し、前記管理手段は、個々の商品について、供給数、供給金額、粗利額のいずれか２つの項目を縦軸及び横軸としたグラフ上に、残りの第３の項目の値に応じて表示形態を異ならせたプロットを付すグラフエリアを備える管理画面を作成することを特徴とする、請求項１から６のいずれか１つに記載の広告媒体管理用データベースシステム。
【請求項８】
前記管理画面は、第３の項目の値に応じてプロットの色を異ならせて表示することを特徴とする請求項７に記載の広告媒体管理用データベースシステム。
【請求項９】
前記管理手段は、利用者端末を利用する利用者の属性を利用者識別子から判別して、前記判別された利用者の属性に応じて、管理画面に表示される情報量を異ならせることを特徴とする、請求項１から８のいずれか１つに記載の広告媒体管理用データベースシステム。
【発明の詳細な説明】
【技術分野】
【０００１】
本発明は、複数の商品が掲載されているカタログ、チラシなどの広告媒体の売上効果を利用者にわかりやすく表示する広告媒体管理用データベースシステム、特に無店舗事業に用いる広告媒体支援システムに関する。
【背景技術】
【０００２】
従来、販売促進のため、小売店から販売商品を掲載した販売商品を掲載したチラシなどの広告媒体が発行され、顧客に配布される。広告媒体は、販売促進のために重要である。特にスーパーや無店舗販売店などにおいては、広告媒体には多種多様な商品の情報を掲載し、特に商品画像を適切にレイアウトして、顧客の視覚に訴える。そのような広告媒体はたとえば各週ごとに発行される。
【０００３】
そのような出版物について、企画から発行まで、多くの人の協力が必要である。企画(例えば、クリスマス特集など)は、たとえば販売促進部が担当し、販売促進部の企画者が出版物の企画を立てる。企画者は、テーマを決定し、さらに、それに対応する掲載商品の数と掲載枠を販売部門の部門単位で設定する。各部門では、それにしたがって掲載商品を決定し、その情報（説明と商品画像を含む）を入稿する。それにしたがって、ページレイアウトが指示され、それにしたがって多数の担当者からの入稿原稿を編集する。これにより電子出版物が作成され、紙に印刷される。
【０００４】
ここで、チラシに掲載する商品の数が増えるにつれ、商品の選定や媒体レイアウトの決定作業が面倒になる。また、各週に発行される場合、複数の企画が平行して進行することになる。また、同じ系列の店舗においても、例えば、取り扱う商品ごと（例えば、食品、生活雑貨、衣料品など）に異なった種々の題目の媒体として広告媒体が発行されることもある。したがって、出版物の企画及びその進行管理を容易にすることが望まれる。
【０００５】
従来、このような作業は、情報を紙原稿を用いて伝達されていたため、原稿の過不足・訂正指示などの管理を含め、進行状況の把握に膨大な労力が必要とされていた。このような、チラシ・カタログ作成における労力を削減する手法として、スーパー等の商品流通事業体とメーカー等の商品供給事業体とチラシ・カタログの製作を請け負う印刷事業体のコンピュータ端末をネットワークで繋ぎ、商品流通事業体側からコンピュータ端末を用いて社内の各部門が連携してレイアウトし、このレイアウトデータを印刷事業体のコンピュータ端末に提示して、印刷事業体側でＤＴＰ処理を行い、校正用画面の形にまとめて、商品流通事業体のコンピュータ端末に提示する、ネットワーク上で、チラシ・カタログを効率的に作成するシステムが提案されている（特許文献１）。
【特許文献１】特開平１１−１９５０２３号公報
【発明の開示】
【発明が解決しようとする課題】
【０００６】
しかし、このように紙原稿を多くの部門で共用していたのでは、広告の企画の作成や、広告による商品の売上に対する貢献度などの情報、及び、販売をより促進することができるような広告のレイアウトなどの情報を管理することができず、それぞれの部門に携わる関係者が従前に行った経験に基づいて行われるにすぎなかった。また、上記特許文献１に提案されるような、チラシ・カタログ作成に携わる複数の事業体及び各事業体の各部署をイントラネット・インターネットを含む各種ネットワークで接続し、各コンピュータ端末を利用してチラシ・カタログを作成するシステムを用いることは、紙原稿を用いる手法に比べて労力は削減できるが、情報としての伝達媒体が紙原稿によるお届けからネットワークによるデータの授受に置き換わったに過ぎず、これは、スピードが向上する点では優れているが、このシステムを用いるチラシ・カタログ作成に携わるスーパー等の商品流通通事業体の各部門の関係者は、従前に行った経験に基づいて販売促進に有効と思われるレイアウトを決定する点では、従来の加味現行の場合と大差なく、せいぜい、「昨年の夏の中元商戦のチラシは評判がよかったので、今年も、同じレイアウトを採用する。」と客観的な裏付けなく決定し、システムを用いて、過去のデータを検索し、昨年の夏の中元商戦のチラシのデータを呼び出す程度である。
【０００７】
したがって、本発明が解決しようとする技術的課題は、従前に作成した広告媒体の情報に基づいて、販売を促進するような広告媒体を作成するために有用な情報を管理するデータベースシステムを提供することである。
【課題を解決するための手段】
【０００８】
本発明は、上記技術的課題を解決するために、以下の構成のデータベースシステムを提供する。
【０００９】
本発明の第１形態は、ディスプレイを有する利用者端末からの求めに応じて、複数の商品についての商品情報を複数割りつけて作成された媒体情報に掲載された商品の売上に関する売上実績情報を管理し、前記商品の実績集計情報を含む管理画面を前記ディスプレイに表示させるためのデータベースシステムであって、
前記商品に関連する商品情報及び前記商品が複数掲載された媒体に関する媒体情報を記憶する商品情報データベースと、前記利用者端末からの要求をネットワークを介して受け前記商品情報データベースから前記管理画面を作成する管理手段とを有し、
前記管理手段は、前記利用者端末からの求めに応じて媒体情報を作成する際に、前記媒体情報に掲載される複数の商品及び売上予定に関する予定情報の入力を求めて、前記商品情報データベースに管理し、
前記媒体情報に関する広告媒体に掲載された商品に関する前記売上実績情報の入力を求めて、前記商品情報データベースに管理し、
前記利用者端末からの求めに応じて、前記予定情報及び売上実績情報から実績集計情報を作成して管理画面を作成することを特徴とする、広告媒体管理用データベースシステムを提供する。
【００１０】
上記構成において、広告媒体管理用データベースシステムは、例えば、従前に作成した広告媒体と当該広告媒体に掲載されている商品の売上に関する実績を利用者端末の操作者にわかりやすく示すものである。この広告媒体管理用データベースシステムは、例えば、前年同月時における実績を勘案して、今回企画する広告媒体の作成を支援したり、商品の売れ行きなどの実績を確認して、商品選定などの資料として利用される。
【００１１】
具体的には、広告媒体に掲載される商品の商品情報と商品を複数掲載した広告媒体に関する媒体情報とをそれぞれリンクさせて媒体情報を作成し、当該媒体情報に掲載される商品の売上予定に関する予定情報を媒体情報に格納する。予定情報としては、例えば、当該広告が掲載される期間に予定する売上個数や売上高などが例示される。また、当該媒体情報に対応する広告媒体の配布後に当該配布時期における掲載商品の売上に関する売上実績情報についても、商品情報データベースに格納する。管理手段は、予定情報と売上実績情報とを用いて実績集計情報を作成し、利用者端末のディスプレイに表示する。
【００１２】
本発明の広告媒体管理用データベースシステムは、具体的には以下のように種々の態様で構成することができる。
【００１３】
本発明の第２形態は、前記媒体情報は、前記広告媒体に掲載される商品とその割付位置を対応付けて記憶し、前記管理手段は、ある特定の広告媒体のページに掲載されている商品を検索して実績集計情報を作成することを特徴とする、広告媒体管理用データベースシステムを提供する。
【００１４】
上記構成において、管理手段は、媒体情報に記憶されている広告媒体に掲載される商品の割付位置に基づいて、広告の所定のページに掲載されている商品のみについての実績集計情報を作成する。一般に、広告媒体のどの位置に掲載されるか、どの程度の大きさの枠に掲載されるかによって、商品の売上は影響を受けるものであるため、広告媒体上の割付位置を分析して実績集計情報に用いることにより、広告媒体の作成作業を容易にすることができる。
【００１５】
本発明の第３形態は、前記管理手段は、広告媒体を表示する媒体表示エリアと、前記媒体表示エリアに表示されている媒体に掲載されている商品についての商品情報、売上実績情報、実績集計情報を掲載する商品エリアとを備える管理画面を作成することを特徴とする第２態様の広告媒体管理用データベースシステムを提供する。
【００１６】
上記構成において、管理手段は広告媒体を表示する媒体表示エリアと、前記媒体表示エリアに表示されている媒体に掲載されている商品についての情報を掲載する商品エリアとを備える管理画面を作成することにより、実際の広告媒体を参考にしながら、掲載枠サイズ、掲載位置、掲載ページを考慮して商品企画・選定を行うことができる。
【００１７】
本発明の第４態様は、前記商品情報は、当該商品を取り扱う部門区分に関する情報を有し、前記管理手段は、特定の部門に属する全て商品についての売上実績情報及び実績集計情報を掲載する部門別実績表示エリアを備える管理画面を作成することを特徴とする広告媒体管理用データベースシステムを提供する。
【００１８】
一般に、商品を扱う部門ごとに商品の仕入れなどの方法が異なることから、部門ごとに区別して実績評価を行うことが望ましい場合がある。上記構成において、ある広告媒体に掲載された商品のうち、部門ごとの商品の実績を見ることにより部門ごとの優位性を評価することができる。また、媒体ごとの実績を加えることにより、どの媒体はどの部門における実績が高いか等、媒体別の実績を確認することができる。
【００１９】
本発明の第５態様は、前記商品情報は、当該商品を取り扱う部門区分に関する情報を有し、前記管理手段は、特定の部門に属する個々の商品についての売上実績情報及び実績集計情報を掲載する商品別実績表示エリアを備える管理画面を作成することを特徴とする広告媒体管理用データベースシステムを提供する。
【００２０】
上記構成において、それぞれの部門ごとの個々の商品についての実績を表示する。このような実績表示を行うことにより、各部門ごとに商品選択を行うことができる。
【００２１】
本発明の第６態様は、前記売上実績情報は、販売日時に関する時間情報を有し、前記管理手段は、特定の商品についての経時的推移を有する売上実績情報及び実績集計情報を掲載する時間帯別実績表示エリアを備える管理画面を作成することを特徴とする広告媒体管理用データベースシステムを提供する。
【００２２】
本発明の第７態様は、前記売上実績情報は、供給数、供給金額、粗利額の情報を有し、前記管理手段は、個々の商品について、供給数、供給金額、粗利額のいずれか２つの項目を軸としたグラフ上に、残りの第３の項目の値に応じて表示形態を異ならせたプロットを付すグラフエリアを備える管理画面を作成することを特徴とする広告媒体管理用データベースシステムを提供する。
【００２３】
上記構成において、各商品についての供給数、供給金額、粗利額の関係を把握することにより、商品の売上による利益の分析を行うことができる。例えば、供給数が多く、所定の期間内に大量の商品を供給することができたとしても、供給金額が少なければ、利益は少ないこととなる。このように、販売者の状況に応じた商品の選定をおこなうことにより、広告に掲載する商品の選択を容易に行うことができる。
【００２４】
本発明の第８態様は、前記管理画面は、第３の項目の値に応じてプロットの色を異ならせて表示することを特徴とする第７態様の広告媒体管理用データベースシステムを提供する。
【００２５】
本発明の第９態様は、前記管理手段は、利用者端末を利用する利用者の属性を利用者識別子から判別して、前記判別された利用者の属性に応じて、管理画面に表示される情報量を異ならせることを特徴とする広告媒体管理用データベースシステムを提供する。
【発明の効果】
【００２６】
本発明の第１形態によれば、各広告媒体に掲載されている商品が商品情報データベースとリンクされているため、売上実績情報及び予定情報を用いた実績集計情報作成が容易であり、関係者は、広告媒体及びその媒体に掲載されている商品と個々に対応した当該実績集計情報を資料として用いることにより、新規企画の設定、掲載商品の決定、各種原稿の入稿などを行うことができ、関係者の作業を容易にすることができる。
【００２７】
本発明の第２形態によれば、商品の売上に影響する広告媒体上の掲載位置の情報に基づいて、実績集計情報を作成することにより、掲載枠サイズ、掲載位置、掲載ページを考慮して商品企画・選定を行うことができる。
【００２８】
本発明の第３態様によれば、実際の広告媒体を参考にしながら、掲載枠サイズ、掲載位置、掲載ページを考慮して商品企画・選定を行うことができる。
【００２９】
本発明の第４態様によれば、商品の部門ごとの実績を表示することができ、全部門の内どの部門が実績があるか部門の優位性などの評価を行うことができる。また、媒体ごとに実績が表示されるため、各部門における媒体の優位性などの評価を行うことができる。
【００３０】
本発明の第５態様によれば、各部門の商品それぞれについて媒体ごとの優位性などの評価を行うことができる。
【００３１】
本発明の第６態様によれば、個々の商品についての経時的な実績評価を行うことができる。具体的には季節ごとの売れ筋時期の把握や商品ごとの売れ行き傾向の把握を行うことができ、季節商品などに関する実績を容易に把握でき、企画の発案などを容易に行うことができる。
【００３２】
本発明の第７態様によれば、商品の特徴や販売者の状況に応じた商品の選定をおこなうことにより、広告に掲載する商品の選択を容易に行うことができる。
【００３３】
本発明の第８態様によれば、グラフの軸として選択されなかった第３の項目についても、プロットの色を判断することにより、分析を行うことができる。
【発明を実施するための最良の形態】
【００３４】
以下、本発明の一実施形態に係る広告媒体管理用データベースシステムについて、図面を参照しながら説明する。
【００３５】
図１は、広告媒体作成システムの全体の構成を示し、図２は、図１のシステムにおける情報の流れを示す。作成対象の広告媒体は、本実施形態においては、カタログなどを定期的に顧客に送付し、顧客からの注文を受けつけて商品を販売する無店舗販売において用いられるものである。
【００３６】
このシステムにおいて、データベースシステム１０、店舗側システム２０が、ネットワーク５を介して接続されている。各システム１０、２０の内部は、それぞれ、ローカルネットワークで接続されている。店舗側システム２０は、店舗側サーバ２２及び複数の店舗側端末２４，２６，２８を備える。店舗側端末は、必ずしも複数である必要はないが、説明の便宜のため、各部門ごとに備えられているものとする。
【００３７】
店舗側端末２４、２６、２８が配置されている店舗側部門は、媒体企画部門、販売統括部門、販売担当部門である。媒体企画部門は、広告媒体全体の企画を立て、経営戦略的な意思決定を行う。販売統括部門は、各部門の商品の選択を行い、部門統括的な業務支援を行う。販売担当部門は、個々の部門ごとの商品について実際に仕入れを行い、商品企画・選定業務を行う。図１のシステムでは、それぞれの部門に明確に分かれているが、実際には、複数の部門、たとえば、媒体企画部門の担当者を販売統括部門の担当者が兼ねてもよい。なお、このシステムは、広告用の複数の媒体（異なる題号で発行される出版物）を扱い、定期ごとに題号の異なる４つの広告媒体（それぞれ題号として、媒体１〜媒体４とする。）を発行することとする。
【００３８】
店舗側システムの店舗側サーバ２２は、広告媒体作成時における商品の選定や供給予定及びテンポ全体の売上実績に関する売上実績情報をデータベースシステムの管理サーバ１４に送信する。店舗側端末２４，２６，２８は、それぞれ配置された部門の利用者によって操作されデータベースシステム１０にアクセスしてウェブブラウザのＧＵＩにより管理サーバ１２に実績集計を行わせて実績集計情報を作成し、実績集計結果を画面に表示して閲覧する。
【００３９】
データベースシステム１０は、管理サーバ１２及び商品情報データベース１４を備える。商品情報データベースは、店舗が取り扱う全ての商品に関連する情報であるマスタ情報および広告媒体ごと（すなわち、広告媒体の題号および発行年月日ごと）の広告媒体のレイアウト及び掲載商品を関連付けて記憶する媒体情報とを備える。管理サーバ１２は、商品情報データベース１４及び店舗側サーバ２２からの情報に基づいて実績集計情報を集計するための多次元集計データベースを備える。また、管理サーバ１２はウェブサーバでもあり、ネットワーク５を介して店舗側システム２０との通信を行う。
【００４０】
管理サーバは、図３に示すように、通常のコンピュータと同様の構成であり、全体の制御を行うＣＰＵ４０を備える。ＣＰＵ４０には、プログラム、データなどを記憶するＲＯＭ４５、ワークエリアとしてのＲＡＭ４６、ハードディスクドライブなどの記憶装置４７、キーボード、マウスなどの入力装置４８、プリンタなどの出力装置４１、各種表示を行うディスプレイ装置４２、及び、外部との通信のための通信装置４３が接続される。記憶装置４７（たとえばハードディスク装置のハードディスク）には、上記集計データベースソフト、及び前記集計データベースに格納されている情報を集計する機能を備えるウェブサーバーソフトなどが記憶されている。
【００４１】
図４に示すように、管理サーバ１２の集計データベース１２ａは、店舗側サーバ２２から供給予定情報、売上実績情報とを受信する。店舗側サーバー２２からそれぞれ受信した供給予定情報、売上実績情報は、集計データベースにそれぞれ格納される。本明細書では、この双方の情報を実績情報とする。一方、商品情報データベースからマスタ情報と媒体情報をそれぞれ受信する。マスタ情報は、仕入値、販売価格、画像など商品に関する商品情報、商品の属する部門に関する部門情報、商品取り扱うバイヤーに関するバイヤー情報、このシステムを利用する利用者に関するユーザー情報などを含んでいる。マスタ情報と媒体情報は、必ずしも集計ＤＢに記憶される必要はなく、集計時に必要な情報のみを商品情報ＤＢから取りこむようにすることが好ましい。なお、ユーザー情報とは、システムを利用する利用者のバイヤー・企画者などの立場等を区分するための情報であって、本システム上における利用者のステータスを画定するものであり、後述するように、このステータスに応じて、利用者の端末画面に表示される情報は異ならせることにより、適切な利用者に適切な情報を出力する(一部の利用者には公開される情報が制限される)ことになる。
【００４２】
集計データベースに格納された実績情報、及びマスタ情報と媒体情報は多次元編集部によって多次元データベースとして集計時において利用される。ウェブサーバ１２ｂは、利用者端末からの操作によって、集計データベース１２ａに格納されている情報を多次元的に編集して、利用者端末に表示する。なお、本実施形態では、利用者の部門によって表示される画面が異なるため、ウェブサーバ１２ｂは、媒体企画部門の担当者による集計に用いられる媒体企画部用集計部と、販売統括部門及び販売担当部門の担当者による集計に用いられる販売部門用集計部とに分けられている。
【００４３】
ウェブサーバ１２ｂは、利用者端末２４，２６，２８からの操作を受けて以下に示すような画面を操作を受けた利用者端末に表示する。図５は、利用者端末に表示される画面の遷移図である。
【００４４】
利用者端末を操作して管理サーバ１２にアクセスすると、先ず、メインメニューが表示される。メインメニューでは、利用者識別子やパスワードの入力を求める表示がなされている。利用者が識別子及びパスワードの入力を行って管理サーバ１２に送信すると、管理サーバは利用者の所属部門を判断し、所定のログイン画面を表示する。
【００４５】
ログイン画面では、閲覧可能な集計画面の一覧が表示されており、利用者は必要に応じて任意の集計画面を選択することができる。本実施形態では、媒体企画部門の担当者は、全部門の集計を個別または一覧としてみることができる。また、販売統括部門の担当者は、担当する部門についての集計のみ閲覧することができる。また、販売担当部門の担当者は、自分が担当した商品についての集計を閲覧することができる。
【００４６】
閲覧可能な集計画面は、部門別・週回別実績集計画面、部門別・媒体別クロス実績集計画面、媒体別商品実績集計画面、単品時系列実績集計画面、媒体・チラシ実績集計画面、媒体別ページ実績集計画面、商品別実績ポートフォリオ画面の各画面である。以下、各集計画面について説明する。
【００４７】
図６は、媒体企画部門の利用者端末に表示される部門別・週回別実績集計画面の画面表示例である。販売統括部門及び販売担当部門の利用者端末には、この部門別・週回別実績集計画面は表示されない。部門別・週回別実績集計画面では、ある任意の週回における各部門に属する全ての商品の合計についての実績表示がなされる。
【００４８】
部門別・週回別実績集計画面には、画面名、比較対象項目、表示期間を表示する第１フレーム５０と、各部門ごとの供給数及び供給金額などを表示する第２フレーム５１と、各媒体ごとの供給数及び供給金額などを表示する第３フレーム５２とが表示されている。
【００４９】
第１フレーム５０では、比較対象項目をプルダウンメニューから選択可能になっている。選択された比較対象項目は、前回比及び昨年同回比との比較が第２フレーム５１の比較対象欄５１ａに表示される。また、第１フレーム５０で選択された表示期間の情報は、第２フレーム５１における供給数及び供給金額の情報の検索項目として用いられ、商品情報データベースから、選択された表示機関の実績情報のみが集計データベース１２ａに取り込まれ、集計されることとなる。
【００５０】
第２フレーム５１は、各部門（図６では、衣料、菓子、住関など、）ごとのバイヤー数、商品数、供給数（売上数）及び供給金額（売上金額）が表示される。これらの項目については、各部門に属する全ての商品についての表示期間における情報の合計が表示される。供給数に表示される項目としては、当該広告媒体作成時に入力した販売予定数、実際に販売した商品の数である実績数、実績数／予定数で算出される達成率、及び、実績数／バイヤー数で算出される一人あたりの供給数である。また、同様に供給金額についても、当該広告媒体作成時に入力した売上の予定である予定額、実績額、達成率、一人あたりの供給額（実績額／バイヤー数で算出）が表示される。
【００５１】
第３フレームは、それぞれの媒体ごとの発行部数、掲載商品数、供給数、供給金額、利用率（申し込み数／媒体配布数で算出。）、利益率（（供給金額−仕入れ額）／供給金額で算出）が表示される。
【００５２】
部門別・週回別実績集計画面によれば週回ごとの各媒体の実績、週回ごとの各部門の実績、対前週、対前年同週との実績比較を行うことができ、部門、媒体の優位性評価を行うことができる。
【００５３】
図７は、媒体企画部門の利用者端末に表示される部門別・媒体別クロス実績集計画面の画面表示例である。販売統括部門及び販売担当部門の利用者端末には、部門別・媒体別クロス実績集計画面は表示されない。部門別・媒体別クロス実績集計画面では、ある任意の週回における媒体ごとの各部門に属する全ての商品の合計についての実績表示がなされる。
【００５４】
部門別・媒体別クロス実績集計画面には、画面名、比較対象項目、表示期間を表示する第１フレーム５０と、各部門ごと媒体ごとの供給数及び供給金額などを表示する第２フレーム５３と、媒体全体の合計を表示する第３フレーム５４とが表示されている。
【００５５】
第１フレーム５０では、集計実績項目をプルダウンメニューから選択可能になっている。選択された集計実績項目は、第２フレーム５３及び第３フレーム５４に表示される。また、第１フレーム５０で選択された表示期間の情報は、第２フレーム５３及び第３フレーム５４に表示される情報の検索項目として用いられ、商品情報データベースから、選択された表示機関の実績情報のみが集計データベース１２ａに取り込まれ、集計されることとなる。
【００５６】
第２フレーム５３は、媒体別に、各部門ごと５５及び全部門合計５６の実績情報が表示される。上述のように、表示される実績情報は、第１フレーム５０の集計実績項目により選択された項目であって、各部門に属する全ての商品の合計値である。フレーム中には、達成率が所定値よりも高い場合、低い場合には、表の各セルが変色表示されるなど強調処理されるようになっている。
【００５７】
第３フレーム５４は、全媒体について、各部門ごと５７の及び全部門合計５８の実績情報が表示される。上述のように、表示される実績情報は、第１フレーム５０の集計実績項目により選択された項目であって、各部門に属する全ての商品の合計値である。
【００５８】
部門別・媒体別クロス実績集計画面によれば、媒体実績評価と部門ごとのバランス把握を行うことができる。
【００５９】
図８は、媒体別商品実績集計画面の画面表示例である。この部門別・週回別実績集計画面は、媒体企画部門、販売統括部門及び販売担当部門のすべての利用者端末に表示される。部門別・週回別実績集計画面は、媒体企画部門には、全ての部門全ての商品についての表示がなされるが、販売統括部門及び販売担当部門には、販売統括部門が担当する部門の商品のみ、及び販売担当部門には、利用者が販売を担当した商品についてのみ表示される。
【００６０】
媒体別商品実績集計画面には、画面名、媒体名、部門名、バイヤー名、実績集計項目、比較値、表示期間を選択表示する第１フレーム５０と、各商品ごと実績情報を表示する第２フレーム５９と、比較値を示すグラフ６０とが表示される。
【００６１】
第１フレーム５０で選択可能な媒体名、部門名、バイヤー名、実績集計項目（供給金額、供給数、粗利額のみ）、比較値、表示期間についての情報は、商品情報データベース及び集計データベースの情報を検索するために用いられる。媒体企画部門では、上記全ての情報について選択可能であるが、販売統括部門では、部門名の項目について、また、販売担当部門では、部門名及びバイヤー名の項目は選択できないように固定値となっている。これらの固定値は、ログイン時に入力される利用者の識別子から利用者の所属、名称の情報に基づいて決定される。
【００６２】
第２フレームでは、第１フレーム５０で選択された部門及びバイヤーの取扱商品についての実績集計項目に関する実績情報が表示される。また、グラフ６０には、第１フレーム５０で選択された比較値に基づいてパーセンテージ表示されたグラフが表示される。
【００６３】
媒体別商品実績集計画面によれば、各媒体に掲載された商品ごとに実績が表示されるので、商品ごとの売れ行き状況を把握することができる。
【００６４】
図９は、単品時系列実績集計画面の画面表示例である。この単品時系列実績集計画面は、媒体企画部門、販売統括部門及び販売担当部門のすべての利用者端末に表示される。単品時系列実績集計画面は、媒体企画部門には、全ての部門全ての商品について選択的に表示がなされるが、販売統括部門及び販売担当部門には、販売統括部門が担当する部門の商品のみ、及び販売担当部門には、利用者が販売を担当した商品についてのみ選択的に表示される。
【００６５】
単品時系列実績集計画面には、画面名、媒体名、実績集計項目、表示期間を選択表示する第１フレーム５０と、各商品ごと実績情報を経時的に表示するグラフ６１とが表示される。
【００６６】
第１フレーム５０で選択可能な媒体名、実績集計項目（供給金額、供給数、粗利額のみ）、表示期間についての情報は、商品情報データベース及び集計データベースの情報を検索するために用いられる。媒体企画部門では、上記全ての情報について選択可能であるが、販売統括部門では、自部門以外の商品について、また、販売担当部門では、自分が扱う商品以外については選択できないようになっている。これらの選択制限は、ログイン時に入力される利用者の識別子から利用者の所属、名称の情報に基づいて決定される。
【００６７】
グラフ６１には、第１フレーム５０で選択された商品についての実績集計項目に関する実績情報が経時的に表示される。
【００６８】
単品時系列実績集計画面によれば、商品ごとの時系列実績が表示でき、対前週との実績比較を行うことができる。これにより、季節商品の把握や商品ごとの売れ筋時期の把握、商品ごとの売れ行き傾向の把握を行うことができる。
【００６９】
図１０は、媒体・チラシ実績集計画面の画面表示例である。この媒体・チラシ実績集計画面は、媒体企画部門、販売統括部門及び販売担当部門のすべての利用者端末に表示される。媒体・チラシ実績集計画面は、媒体企画部門には、全ての部門全ての商品について選択的に表示がなされるが、販売統括部門及び販売担当部門には、販売統括部門が担当する部門の商品のみ、及び販売担当部門には、利用者が販売を担当した商品についてのみ選択的に表示される。
【００７０】
媒体・チラシ実績集計画面には、画面名、媒体名（ページ指定）、実績集計項目、表示期間を選択表示する第１フレーム５０と、広告媒体の画像を表示する第２フレーム６２、第２フレームに掲載された商品についての実績項目を表示する第３フレーム６３とが表示される。
【００７１】
第１フレーム５０で選択可能な媒体名（ページ指定）、実績集計項目（供給金額、供給数、粗利額のみ）、表示期間についての情報は、商品情報データベース及び集計データベースの情報を検索するために用いられる。
【００７２】
第２フレームには、第１フレームで選択された表示期間の媒体のページが表示される。また、第３フレームには、第２フレームに掲載された商品の一覧及び集計実績項目が表示される。第３フレームは、媒体企画部門では、上記全ての情報についての実績情報が掲載されているが、販売統括部門では、自部門以外の商品について、また、販売担当部門では、自分が扱う商品以外についての実績情報は表示されないようになっている。これらの選択制限は、ログイン時に入力される利用者の識別子から利用者の所属、名称の情報に基づいて決定される。
【００７３】
媒体・チラシ実績集計画面によれば、掲載ページ、ページ中の掲載位置、枠サイズを考慮して企画結果を把握することができる。
【００７４】
図１１は、媒体別ページ実績集計画面の画面表示例である。この媒体別ページ実績集計画面は、媒体企画部門、販売統括部門及び販売担当部門のすべての利用者端末に表示される。媒体別ページ実績集計画面は、媒体企画部門には、全ての部門全ての商品について選択的に表示がなされるが、販売統括部門及び販売担当部門には、販売統括部門が担当する部門の商品のみ、及び販売担当部門には、利用者が販売を担当した商品についてのみ選択的に表示される。
【００７５】
媒体別ページ実績集計画面には、画面名、媒体名（ページ指定）、実績集計項目、表示期間、ソート対象（ページ中の商品番号順、または集計実績項目順）を選択表示する第１フレーム５０と、第１フレームで選択された広告媒体に掲載されている商品についての実績項目を表示する第２フレーム６４とが表示される。
【００７６】
第１フレーム５０で選択可能な媒体名（ページ指定）、実績集計項目（供給金額、供給数、粗利額のみ）、表示期間についての情報は、商品情報データベース及び集計データベースの情報を検索するために用いられる。
【００７７】
第２フレーム６４には、第１フレームで選択された広告媒体のページに掲載されている商品の一覧及び集計実績項目が表示される。第２フレーム６４は、媒体企画部門では、上記全ての情報についての実績情報が掲載されているが、販売統括部門では、自部門以外の商品について、また、販売担当部門では、自分が扱う商品以外についての実績情報は表示されないようになっている。これらの選択制限は、ログイン時に入力される利用者の識別子から利用者の所属、名称の情報に基づいて決定される。
【００７８】
媒体・チラシ実績集計画面によれば、掲載ページ、ページ中の掲載位置、枠サイズを考慮して企画結果を把握することができる。
【００７９】
図１２は、商品別実績ポートフォリオ画面の画面表示例である。この商品別実績ポートフォリオ画面は、媒体企画部門、販売統括部門及び販売担当部門のすべての利用者端末に表示される。商品別実績ポートフォリオ画面は、媒体企画部門には、全ての部門全ての商品について選択的に表示がなされるが、販売統括部門及び販売担当部門には、販売統括部門が担当する部門の商品のみ、及び販売担当部門には、利用者が販売を担当した商品についてのみ選択的に表示される。
【００８０】
商品別実績ポートフォリオ画面には、画面名、媒体名、実績集計項目、表示期間を選択表示する第１フレーム５０と、第１フレームで選択された実績集計項目について各商品ごとの評価を表すグラフ６５とが表示される。
【００８１】
第１フレーム５０で選択可能な媒体名、実績集計項目（供給金額、供給数、粗利額からの任意の２つの組み合わせ、すなわち、供給金額×供給数、供給数×粗利額、供給金額×粗利額）、表示期間についての情報は、商品情報データベース及び集計データベースの情報を検索するために用いられる。
【００８２】
第２フレームでは、第１フレームで選択された実績集計項目をＸＹ軸とするグラフ及び各商品ごとについてのグラフ上の位置がプロットされる。グラフ上のプロットは、第１フレームで選択されなかった項目の値ごとに複数のランク付けがなされ、色分けして表示される。
【００８３】
また、グラフ上のプロットを例えば、マウスカーソルなどで選択すると、グラフ右にその選択された商品の詳細情報が表示される。
【００８４】
商品別実績ポートフォリオ画面によれば、商品ごとに実績把握と媒体効果の１つの測定軸として、媒体別、部門別、バイヤー別に掲載商品の特質を判断することができ、広告媒体作成時における商品選定の目安にすることができる。
【００８５】
以上説明したように、本実施形態に係る広告媒体管理用データベースシステムによれば、店舗端末から販売予定に関する情報、広告媒体に関する情報、売上実績に関する情報を用いて、過去の販売促進効果の確認を容易に行うことができ、過去の実績を踏まえた広告の作成などを容易に行うことができる。
【００８６】
なお、本発明は上記実施形態に限定されるものではなく、その他種々の態様で実施可能である。
【図面の簡単な説明】
【００８７】
【図１】本実施形態に係る広告媒体作成システムの全体構成図である。
【図２】図１のシステムにおける情報の流れを示す図である。
【図３】図１のシステムの管理サーバのブロック図である。
【図４】管理サーバにおける情報の流れを示す図である。
【図５】利用者端末に表示される画面の遷移図である。
【図６】媒体企画部門の利用者端末に表示される部門別・週回別実績集計画面の画面表示例である。
【図７】媒体企画部門の利用者端末に表示される部門別・媒体別クロス実績集計画面の画面表示例である。
【図８】媒体別商品実績集計画面の画面表示例である。
【図９】単品時系列実績集計画面の画面表示例である。
【図１０】媒体・チラシ実績集計画面の画面表示例である。
【図１１】媒体別ページ実績集計画面の画面表示例である。
【図１２】商品別実績ポートフォリオ画面の画面表示例である。
【符号の説明】
【００８８】
１  広告媒体作成システム
５  ネットワーク（インターネット）
１０  データベースシステム
１２  管理サーバ
１４  商品情報データベース
２０  店舗側システム
２２  店舗側サーバ
２４，２６，２８  店舗側端末
【図１】
2005208835.tif 000003
【図２】
2005208835.tif 000004
【図３】
2005208835.tif 000005
【図４】
2005208835.tif 000006
【図５】
2005208835.tif 000007
【図６】
2005208835.tif 000008
【図７】
2005208835.tif 000009
【図８】
2005208835.tif 000010
【図９】
2005208835.tif 000011
【図１０】
2005208835.tif 000012
【図１１】
2005208835.tif 000013
【図１２】
2005208835.tif 000014